(57)【特許請求の範囲】
【請求項１】
被写体を撮像することにより該被写体を表す画像データを取得する撮像手段と、撮影位置を表す位置情報を含む撮影情報と対応付けて、種々の撮影位置における推奨構図の画像を表す複数の推奨構図データを記憶する記憶手段と、前記撮影情報を取得する撮影情報取得手段と、該撮影情報取得手段において取得された取得撮影情報に基づいて、前記記憶手段から該取得撮影情報に適合する撮影情報と対応付けられた所望の推奨構図データを読み出す読出手段と、該所望の推奨構図データにより表される推奨構図画像と、前記撮像手段において取得される画像データにより表される画像とを重畳して表示させる表示手段と、前記推奨構図に基づいて前記撮像手段により取得された複数の画像データに該各画像データに関する付帯情報であって前記取得撮影情報を含む付帯情報を付与し、該付帯情報が付与された各画像データを記録媒体に記録する画像記録手段とを備えたデジタルカメラにより取得された複数の画像を、所望とするレイアウトにより配列した合成画像からなるアルバムを作成するアルバム作成方法であって、
前記記録媒体に記録された前記複数の画像データおよびこれらに付与された前記付帯情報を読み出し、
前記各付帯情報に基づいて、該各付帯情報に対応した複数の画像挿入領域を有するテンプレートの該各画像挿入領域に、前記各画像データにより表される画像を挿入して、前記合成画像を表す合成画像データを生成することを特徴とするアルバム作成方法。
【請求項２】
前記テンプレートは、前記各付帯情報に基づいて選択されてなるものであることを特徴とする請求項１記載のアルバム作成方法。
【請求項３】
前記複数の画像データに加えて、前記付帯情報を前記テンプレートに挿入して前記合成画像データを生成することを特徴とする請求項１または２記載のアルバム作成方法。
【請求項４】
所望とする推奨構図により得られた画像データを、該推奨構図に対応する予め用意された他の画像データと入れ替え可能としたことを特徴とする請求項１から３のいずれか１項記載のアルバム作成方法。
【請求項５】
被写体を撮像することにより該被写体を表す画像データを取得する撮像手段と、撮影位置を表す位置情報を含む撮影情報と対応付けて、種々の撮影位置における推奨構図の画像を表す複数の推奨構図データを記憶する記憶手段と、前記撮影情報を取得する撮影情報取得手段と、該撮影情報取得手段において取得された取得撮影情報に基づいて、前記記憶手段から該取得撮影情報に適合する撮影情報と対応付けられた所望の推奨構図データを読み出す読出手段と、該所望の推奨構図データにより表される推奨構図画像と、前記撮像手段において取得される画像データにより表される画像とを重畳して表示させる表示手段と、前記推奨構図に基づいて前記撮像手段により取得された複数の画像データに該各画像データに関する付帯情報であって前記取得撮影情報を含む付帯情報を付与し、該付帯情報が付与された各画像データを記録媒体に記録する画像記録手段とを備えたデジタルカメラにより取得された複数の画像を、所望とするレイアウトにより配列した合成画像からなるアルバムを作成するアルバム作成装置であって、
前記記録媒体に記録された前記複数の画像データおよびこれらに付与された前記付帯情報を読み出す読出手段と、
前記各付帯情報に基づいて、該各付帯情報に対応した複数の画像挿入領域を有するテンプレートの該各画像挿入領域に、前記各画像データにより表される画像を挿入して、前記合成画像を表す合成画像データを生成する合成手段とを備えたことを特徴とするアルバム作成装置。
【請求項６】
前記テンプレートを、前記各付帯情報に基づいて選択するテンプレート選択手段をさらに備えたことを特徴とする請求項５記載のアルバム作成装置。
【請求項７】
前記合成手段は、前記複数の画像データに加えて、前記付帯情報を前記テンプレートに挿入して前記合成画像データを生成する手段であることを特徴とする請求項５または６記載のアルバム作成装置。
【請求項８】
前記合成手段は、所望とする推奨構図により得られた画像データを、該推奨構図に対応する予め用意された他の画像データと入れ替え可能な手段であることを特徴とする請求項５から７のいずれか１項記載のアルバム作成装置。
【請求項９】
被写体を撮像することにより該被写体を表す画像データを取得する撮像手段と、撮影位置を表す位置情報を含む撮影情報と対応付けて、種々の撮影位置における推奨構図の画像を表す複数の推奨構図データを記憶する記憶手段と、前記撮影情報を取得する撮影情報取得手段と、該撮影情報取得手段において取得された取得撮影情報に基づいて、前記記憶手段から該取得撮影情報に適合する撮影情報と対応付けられた所望の推奨構図データを読み出す読出手段と、該所望の推奨構図データにより表される推奨構図画像と、前記撮像手段において取得される画像データにより表される画像とを重畳して表示させる表示手段と、前記推奨構図に基づいて前記撮像手段により取得された複数の画像データに該各画像データに関する付帯情報であって前記取得撮影情報を含む付帯情報を付与し、該付帯情報が付与された各画像データを記録媒体に記録する画像記録手段とを備えたデジタルカメラにより取得された複数の画像を、所望とするレイアウトにより配列した合成画像からなるアルバムを作成するアルバム作成方法をコンピュータに実行させるためのプログラムを記録したコンピュータ読取り可能な記録媒体であって、
前記プログラムは、前記記録媒体に記録された前記複数の画像データおよびこれらに付与された前記付帯情報を読み出す手順と、
前記各付帯情報に基づいて、該各付帯情報に対応した複数の画像挿入領域を有するテンプレートの該各画像挿入領域に、前記各画像データにより表される画像を挿入して、前記合成画像を表す合成画像データを生成する手順とを有することを特徴とするコンピュータ読取り可能な記録媒体。
【請求項１０】
前記テンプレートは、前記各付帯情報に基づいて選択されてなるものであることを特徴とする請求項９記載のコンピュータ読取り可能な記録媒体。
【請求項１１】
前記合成画像データを生成する手順は、前記複数の画像データに加えて、前記付帯情報を前記テンプレートに挿入して前記合成画像データを生成する手順であることを特徴とする請求項９または１０記載のコンピュータ読取り可能な記録媒体。
【請求項１２】
前記プログラムは、所望とする推奨構図により得られた画像データを、該推奨構図に対応する予め用意された他の画像データと入れ替える手順をさらに有することを特徴とする請求項９から１１のいずれか１項記載のコンピュータ読取り可能な記録媒体。
【発明の詳細な説明】
【０００１】
【発明の属する技術分野】
本発明は、デジタルカメラにより取得された複数の画像を所望とするレイアウトにより配置してアルバムを作成するアルバム作成方法および装置並びにアルバム作成方法をコンピュータに実行させるためのプログラムを記録したコンピュータ読取り可能な記録媒体に関するものである。
【０００２】
【従来の技術】
撮像により取得された複数の画像を所望とするレイアウトとなるように配列してアルバムプリントを作成する種々の方法が提案されている。例えば、フイルムの各コマに対応して記録された撮影方向に関する情報を各コマの画像とともに読み取り、撮影方向に関する情報に基づいて各コマの天地方向を変更して１枚の用紙に画像をレイアウトしてプリントする方法が提案されている（特開平３−２７４０４７号）。また、各コマに対応して記録された撮影時の撮影情報を読み取り、この撮影情報をも各コマの画像とともにレイアウトしてアルバムプリントする方法も提案されている（特開平３−２７４８５７号）。また、ユーザが有する画像をユーザが所望とするレイアウトとなるように配置したり、文字やクリップアートなどを挿入してアルバムプリントを作成するようにした方法（特開平７−１８４０３２号）も知られている。しかしながら、これらの方法においては、画像のレイアウトはユーザが手動にて指定する必要があるため、レイアウトの操作が非常に面倒であった。
【０００３】
このため、複数の画像を１枚の用紙にプリントしてアルバムプリントを得る際に、プリントする画像および各画像の配置を予めユーザがマークシート等により指定しておき、このマークシートを読み取ることにより、プリントする画像および各画像の配置を特定する情報を取得し、この情報に基づいてフイルムからコマ画像を読み取って複数の画像をレイアウトしたアルバムプリントを得るようにした方法が提案されている（特開平１０−５１５７６号）。この方法によれば、ユーザはプリントする画像と、その画像を用紙のどこにレイアウトするかを指定するのみで、複数の画像がレイアウトされたアルバムプリントを得ることができる。
【０００４】
【課題を解決するための手段】
しかしながら、上記特開平１０−５１５７６号に記載された方法においても、画像のレイアウトはユーザが行う必要がある。ここで、画像の配置の仕方によって、得られるアルバムプリントの印象が変わってしまうため、印象のよいアルバムプリントを得るためには、ユーザは画像のレイアウトに手間をかける必要がある。また、この手間を惜しむと平凡なアルバムプリントしか作成できない。
【０００５】
本発明は上記事情に鑑みなされたものであり、手間をかけることなく印象のよいアルバムプリントを作成できるアルバム作成方法および装置並びにアルバム作成方法および装置をコンピュータに実行させるためのプログラムを記録したコンピュータ読取り可能な記録媒体を提供することを目的とするものである。
【０００６】
【課題を解決するための手段】
本発明によるアルバム作成方法は、デジタルカメラにより取得された複数の画像を、所望とするレイアウトにより配列した合成画像からなるアルバムを作成するアルバム作成方法において、
前記デジタルカメラは、前記複数の画像を表す画像データに該各画像データに関する付帯情報を付与して記録媒体に記録する画像記録手段を備え、
前記記録媒体に記録された前記複数の画像データおよびこれらに付与された前記付帯情報を読み出し、
前記各付帯情報に基づいて、該各付帯情報に対応した複数の画像挿入領域を有するテンプレートの該各画像挿入領域に、前記各画像データにより表される画像を挿入して、前記合成画像を表す合成画像データを生成することを特徴とするものである。
【０００７】
「付帯情報」とは、撮影日時、撮影場所、被写体の種類、シーンについてのコメントなど、デジタルカメラにおいて画像データに付与することができる、画像データについての情報のことをいう。
【０００８】
「画像データに付帯情報を付与して記録媒体に記録する」とは、付帯情報を画像データのファイルヘッダ部分に記録する、ＦｌａｓｈＰｉｘ形式のファイルのように同一ファイルに画像データと付帯情報とを記録する、画像データと付帯情報とを互いに対応付けてそれぞれ別個のファイルに記録するなど種々の方法を採用することができる。なお、アルバムの作成に用いられる画像データ以外の他の画像データが記録媒体に記録される場合には、「付帯情報」には画像データをアルバムの作成に使用するか否かを示す情報が含まれることとなる。
【０００９】
「記録媒体」は、メモリカード、ＦＤ、ＭＯのような可搬型のメディアであってもよく、パソコンのハードディスクであってもよい。なお、記録媒体からの画像データおよび付帯情報の読み出しは、メモリカードリーダ、ＦＤドライブなど可搬型のメディアから読み出すものであってもよく、パソコンのハードディスクからネットワークを介して読み出すものであってもよい。
【００１０】
「テンプレート」は、複数の画像を所望とするレイアウトとなるように挿入する画像挿入領域を有する。この画像挿入領域は画像データの付帯情報と対応付けられており、画像挿入領域に対応する付帯情報が付与された画像データにより表される画像が、その画像挿入領域に挿入されることとなる。また、画像のみならず、画像に対して予め用意されたコメント、付帯情報に基づくコメント、クリップアート等をも挿入可能なものとしてもよい。さらに、「テンプレート」は画像データおよび付帯情報が記録された記録媒体あるいはこれとは異なる記録媒体に記録しておいてアルバム作成時に読み出すようにしてもよく、これらの記録媒体にテンプレートを特定する情報を記録しておき、複数のテンプレートを記憶したデータベース等のテンプレート記憶手段からこの情報を参照して対応するテンプレートを読み出すようにしてもよい。
【００１１】
なお、本発明によるアルバム作成方法においては、前記テンプレートを、前記各付帯情報に基づいて選択してもよい。
【００１２】
また、本発明によるアルバム作成方法においては、前記複数の画像データに加えて、前記付帯情報を前記テンプレートに挿入して前記合成画像データを生成してもよい。
【００１３】
また、本発明によるアルバム作成方法においては、前記デジタルカメラが、被写体を撮像することにより該被写体を表す画像データを取得する撮像手段と、
撮影位置を表す位置情報を含む撮影情報と対応付けて、種々の撮影位置における推奨構図の画像を表す複数の推奨構図データを記憶する記憶手段と、
前記撮影情報を取得する撮影情報取得手段と、
該撮影情報取得手段において取得された取得撮影情報に基づいて、前記記憶手段から該取得撮影情報に適合する撮影情報と対応付けられた所望の推奨構図データを読み出す読出手段と、
該所望の推奨構図データにより表される推奨構図画像と、前記撮像手段において取得される画像データにより表される画像とを重畳して表示させる表示手段とを備えてなり、
前記画像記録手段は、前記取得撮影情報を前記付帯情報に含め、前記推奨構図に基づいて前記撮像手段により取得された複数の画像データに該各画像データに関する付帯情報を付与し、該付帯情報が付与された各画像データを前記記録媒体に記録する手段であることが好ましい。
【００１４】
ここで、「記憶手段」は、例えば地域別／目的別に推奨構図データを記憶した可搬型のメディアであってもよく、推奨構図データを書き換え可能なメディアであってもよい。
【００１５】
「推奨構図」とは、撮影すべき著名な風景や建造物等を表す画像のことをいう。なお、推奨構図データは、フルカラーで推奨構図を表すものであってもよいが、データ量を低減するために、コントラストを低下させた画像データ、２値化画像データあるいはモノクロ画像データとしてもよい。
【００１６】
「撮影情報」には、位置を表す位置情報、方向を表す情報、日時を表す日時情報、撮影時の天候を表す天候情報等を含めることができ、これらの情報に基づいて所望とする推奨構図データを読み出すことができる。
【００１７】
この場合、「付帯情報」には、位置情報、方向を表す情報、日時情報、撮影時の天候情報の他、撮影時の撮影条件（焦点距離、絞り値等）、読み出された推奨構図データを特定する推奨構図ＩＤ等を含めることができる。
【００１８】
「表示手段」としては、カメラのファインダ、液晶モニタなどの種々の手段を用いることができる。
【００１９】
なお、推奨構図画像に合わせて撮影を行うことにより得られた画像が、ぼけていたり露光の不良、天候不良等により良好な画像でない場合がある。このような場合には、良好でない画像を表す画像データをその推奨構図に対応する予め用意された他の画像データと入れ替えることが好ましい。
【００２０】
本発明によるアルバム作成装置は、デジタルカメラにより取得された複数の画像を、所望とするレイアウトにより配列した合成画像からなるアルバムを作成するアルバム作成装置において、
前記デジタルカメラは、前記複数の画像を表す画像データに該各画像データに関する付帯情報を付与して記録媒体に記録する画像記録手段を備え、
前記記録媒体に記録された前記複数の画像データおよびこれらに付与された前記付帯情報を読み出す読出手段と、
前記各付帯情報に基づいて、該各付帯情報に対応した複数の画像挿入領域を有するテンプレートの該各画像挿入領域に、前記各画像データにより表される画像を挿入して、前記合成画像を表す合成画像データを生成する合成手段とを備えたことを特徴とするものである。
【００２１】
なお、本発明によるアルバム作成装置においては、前記テンプレートを、前記各付帯情報に基づいて選択するテンプレート選択手段をさらに備えるものとしてもよい。
【００２２】
また、本発明によるアルバム作成装置においては、前記合成手段を、前記複数の画像データに加えて、前記付帯情報を前記テンプレートに挿入して前記合成画像データを生成する手段としてもよい。
【００２３】
また、本発明によるアルバム作成装置においては、前記デジタルカメラは、被写体を撮像することにより該被写体を表す画像データを取得する撮像手段と、
撮影位置を表す位置情報を含む撮影情報と対応付けて、種々の撮影位置における推奨構図の画像を表す複数の推奨構図データを記憶する記憶手段と、
前記撮影情報を取得する撮影情報取得手段と、
該撮影情報取得手段において取得された取得撮影情報に基づいて、前記記憶手段から該取得撮影情報に適合する撮影情報と対応付けられた所望の推奨構図データを読み出す読出手段と、
該所望の推奨構図データにより表される推奨構図画像と、前記撮像手段において取得される画像データにより表される画像とを重畳して表示させる表示手段とを備えてなり、
前記画像記録手段は、前記取得撮影情報を前記付帯情報に含め、前記推奨構図に基づいて前記撮像手段により取得された複数の画像データに該各画像データに関する付帯情報を付与し、該付帯情報が付与された各画像データを前記記録媒体に記録する手段としてもよい。
【００２４】
この場合、前記合成手段は、所望とする推奨構図により得られた画像データを、該推奨構図に対応する予め用意された他の画像データと入れ替え可能な手段とすることが好ましい。
【００２５】
なお、本発明によるプリント作成方法をコンピュータに実行させるためのプログラムとしてコンピュータ読取り可能な記録媒体に記録して提供してもよい。
【００２６】
【発明の効果】
本発明によれば、デジタルカメラにおいて、複数の画像の撮影を行うことにより複数の画像データが得られ、この複数の画像データに各画像データに関する付帯情報が付与されて記録媒体に記録される。そして、記録媒体に記録された複数の画像データと付帯情報とを読み出し、付帯情報を参照して各画像データにより表される画像をテンプレートの各画像挿入領域に挿入する。ここで、テンプレートには付帯情報に対応して画像挿入領域が設定されているため、付帯情報を参照すれば各画像データとテンプレートの画像挿入領域とを対応付けることができ、これによりテンプレートの画像挿入領域には各画像挿入領域に対応する画像が挿入されて合成画像が得られることとなる。このように、ユーザはデジタルカメラによる撮影時に記録媒体に画像データに付帯情報を付与して記録するとともに、テンプレートを選択するのみで合成画像データを生成することができるため、この合成画像データをプリントすることにより、画像のレイアウトの手間をかけることなく、印象のよいアルバムプリントを得ることができる。
【００２７】
また、付帯情報を画像とともにテンプレートに挿入することにより、そのテンプレートの画像挿入領域に挿入した画像についての情報をアルバムにおいて認識することができる。
【００２８】
さらに、請求項４，８，１４の発明によれば、撮影情報取得手段によりデジタルカメラを所有する撮影者の位置を表す位置情報を含む撮影情報が取得されており、取得された撮影情報に基づいて、取得撮影情報に適合する撮影情報と対応付けられた所望の推奨構図データが読み出される。そして、この推奨構図データにより表される推奨構図画像と、撮像手段において取得される画像データにより表される画像とが重畳されて表示手段に表示される。ここで、推奨構図データは撮影位置を表す位置情報を含む撮影情報と対応付けられており、かつ撮影位置における推奨構図の画像を表すものとなっている。このため、表示手段に表示される推奨構図画像は、本発明による撮像装置を所有する撮影者がいる位置に応じた推奨構図画像を表すものとなる。したがって、撮影者は表示手段を観察することにより、自分がいる位置においてアルバム作成に必要な画像を確認することができ、撮像手段により取得される画像データにより表される画像を推奨構図画像に一致させれば、撮影者の技量に依存することなく推奨される構図により撮影を行うことができる。よって、アルバムに必要な画像のシャッタチャンスを逃すことなく撮影を行うことができる。また、取得撮影情報を付帯情報に含めるようにしたため、撮影情報とテンプレートにおける画像挿入領域との対応付けを設定しておくことにより、撮影情報に基づいてテンプレートにおける画像の配置をも決定することができる。
【００２９】
この際、推奨構図画像に合わせて撮影を行うことにより得られた画像が、ぼけていたり、露光の不良あるいは天候不良などにより良好な画像でない場合がある。また、画像を撮影し忘れてしまうこともある。このような場合には、良好でない画像をその推奨構図に対応する予め用意された他のレイアウト画像と入れ替える、あるいは撮影し忘れた画像に対応する画像挿入領域に予め用意された他のレイアウト画像を挿入することにより、良好な画像をアルバムに含めることができることとなる。
【００３０】
【発明の実施の形態】
以下図面を参照して本発明の実施形態について説明する。
【００３１】
図１は本発明の第１の実施形態によるアルバム作成装置を適用した画像出力システムの構成を示す概略ブロック図である。なお、本実施形態による画像出力システムは、ユーザの依頼によりプリントを行うラボに設けられるものである。図１に示すように、第１の実施形態による画像出力システムは、後述するカメラにより取得された画像データＳ０に基づいてアルバムプリントを作成するための合成画像データＭを生成するアルバム作成手段１２と、合成画像データＭをプリント出力するプリンタ１３と、画像データＳ０および合成画像データＭ等を表示するＣＲＴ、液晶等のモニタ１４と、アルバム作成手段１２に種々の入力を行うためのキーボード、マウス等からなる入力手段１５とを備える。
【００３２】
アルバム作成手段１２は、後述するカメラにおいて複数の画像データＳ０およびこの画像データＳ０に付与された付帯情報Ｈが記録された記録媒体１１から、複数の画像データＳ０および付帯情報Ｈを読み出すデータ読出手段２１と、複数のテンプレートを表すテンプレートデータＴを保管したテンプレート記憶手段２２と、読み出したテンプレートデータＴにより表されるテンプレート（以下テンプレートについてもＴとする）に複数の画像データＳ０により表される画像（以下画像についてもＳ０とする）を配列して合成画像データＭを生成する合成手段２３とを備える。
【００３３】
ここで、記録媒体１１に画像データＳ０および付帯情報Ｈを記録するカメラについて説明する。図２は本実施形態に用いられるカメラの構成を示す概略ブロック図である。図２に示すように、このカメラは、被写体を撮像して被写体像を表す画像データＳ０を得る撮像手段１と、画像データＳ０を一時的に記憶するフレームメモリ２と、ＧＰＳ衛星からの測位用電波に基づいてＧＰＳ情報Ｇを取得するＧＰＳ手段３と、撮影位置を表す位置情報と対応付けて、撮影位置における推奨構図の画像を表す複数の推奨構図データＲ０を記憶する推奨構図記憶手段４と、ＧＰＳ手段３により取得されたＧＰＳ情報Ｇに基づいて、ＧＰＳ情報Ｇに一致する位置情報と対応付けられた推奨構図データＲ０を推奨構図記憶手段４から読み出す読出手段５と、推奨構図データＲ０を一時的に記憶するフレームメモリ６と、画像データＳ０および推奨構図データＲ０を重畳させて重畳画像データＣ０を得る重畳手段７と、重畳画像データＣ０を表示する表示手段８と、読出手段５が推奨構図データＲ０を読み出したときに警報音を発するアラーム９と、撮影により取得した画像データＳ０を記録媒体１１に記録する記録手段１０とを備える。
【００３４】
撮像手段１は、ＣＣＤ、結像光学系、シャッタ、ズーム機能、ＡＥ機構、ＡＦ機構など、撮影に必要な種々の手段を有するものである。
【００３５】
ＧＰＳ手段３は、ＧＰＳ衛星からの測位用電波を利用して撮影位置、撮影方位および撮影日時に関する情報をＧＰＳ情報Ｇとして取得する。ここで、撮影位置とは、本実施形態によるカメラがあるすなわち撮影者がいる位置であり、撮影方位とは本実施形態によるカメラが向いている方位のことをいう。
【００３６】
推奨構図記憶手段４は、例えば地域別／目的別に推奨構図データＲ０が記憶されている可搬型のメディアであり、ラボからユーザに提供されて、ユーザがカメラに推奨構図記憶手段４をセットすることにより使用される。ここで、推奨構図データＲ０は、例えばある観光名所において撮影を行う際に推奨される構図の画像を表すものであり、推奨構図の位置情報と対応付けられて推奨構図記憶手段４に記憶される。例えば、推奨構図記憶手段４が京都用のものであれば、推奨構図画像は法隆寺や金閣寺などの観光名所における経度および緯度と対応付けられた、観光名所において撮影を行う際に推奨される構図の画像を表すものとなる。
【００３７】
なお、推奨構図記憶手段４には、アルバムプリントを作成する際に使用するテンプレートを示すテンプレート情報も記憶されている。ここで、テンプレートは予めユーザにより選択されており、推奨構図記憶手段４をラボからユーザに受け渡す際に、すでにテンプレート情報が推奨構図記憶手段４に記憶されているものである。なお、テンプレート情報としては例えばテンプレートの番号を用いることができる。またこの場合、推奨構図記憶手段４には、ユーザが選択したテンプレートに挿入する画像数に対応した数を有し、かつアルバムに必要な構図を表す推奨構図データＲ０が記憶されることとなる。
【００３８】
また、推奨構図記憶手段４をカメラに固定された書き換え可能なメディアとし、これに撮影者が所望とする地域あるいは目的の推奨構図データＲ０を書き込むことによっても、推奨構図記憶手段４に推奨構図データＲ０を記憶することができる。例えば、ラボのデータベースに推奨構図データＲ０を保管しておき、ユーザがこのデータベースにアクセスして推奨構図データＲ０をダウンロードし、さらにダウンロードした推奨構図データＲ０を推奨構図記憶手段４に書き込むことにより、推奨構図データＲ０を推奨構図記憶手段４に記憶することができる。
【００３９】
なお、ダウンロードの前に、ユーザのパソコンに所望とする地域あるいは目的に応じた推奨構図のサムネイル画像を表示し、ユーザに所望とするサムネイル画像を選択させることにより推奨構図データＲ０のダウンロードを行うようにしてもよい。この場合、ダウンロード後に、推奨構図を用いてレイアウトを行った複数のテンプレートのサムネイル画像を、図３に示すようにユーザのパソコンに表示し、この複数のサムネイル画像からユーザが所望とするテンプレートを選択することにより、選択したテンプレートを表すテンプレート情報が推奨構図記憶手段４に記憶される。
【００４０】
なお、テンプレートと推奨構図データＲ０とを対応付けておき、図３に示すサムネイル画像をユーザのパソコンに表示して、所望とするサムネイル画像の選択を行った後に、選択したテンプレートに対応する推奨構図データＲ０のダウンロードを行うようにしてもよい。また、推奨構図データＲ０のみを推奨構図記憶手段４に記憶し、テンプレート情報についてはカメラに設けられた不図示の入力手段を用いて、後述する記録手段１０において記録媒体１１に記録してもよい。
【００４１】
さらに、テンプレート情報を記録媒体１１に記録しなくてもよい。この場合、ユーザは使用するテンプレートの情報を予めラボに通知しておく。そしてアルバムプリントの作成時に、ラボのオペレータによりテンプレート情報が入力手段１５からアルバム作成手段１２に入力されることとなる。
【００４２】
ここで、本実施形態においては、ヨーロッパ旅行においてある定められたツアーコースに対応する推奨構図を表す推奨構図データＲ０およびこの推奨構図を用いたテンプレートが推奨構図記憶手段４に記憶されるものとする。
【００４３】
読出手段５は、ＧＰＳ情報Ｇに含まれる位置情報に基づいて推奨構図記憶手段４に記憶された推奨構図データＲ０を検索し、この位置情報と対応する推奨構図データＲ０を推奨構図記憶手段４から読み出してフレームメモリ６に一時的に記憶させる。
【００４４】
重畳手段７は、画像データＳ０および推奨構図データＲ０を重ね合わせて重畳画像データＣ０を得るものである。例えば、推奨構図データＲ０により表される推奨構図画像（以下推奨構図画像についてもＲ０とする）が図４に示すものであり、画像データＳ０により表される画像Ｓ０が図５に示すものである場合、重畳手段７により得られる重畳画像データＣ０により表される重畳画像（以下重畳画像についてもＣ０とする）は図６に示すものとなり、この重畳画像Ｃ０が表示手段８に表示されることとなる。ここで、推奨構図データＲ０により表される推奨構図画像のコントラストを、画像データＳ０により表される画像のコントラストよりも低くすることにより、画像Ｓ０が見にくくなることを防止できる。また推奨構図画像をモノクロ画像や２値化画像としてもよい。なお、推奨構図データＲ０を低コントラスト画像、モノクロ画像、２値化画像、輪郭のみの画像等を表す画像データとして推奨構図記憶手段４に記憶しておいてもよい。
【００４５】
表示手段８は、本実施形態のカメラに設けられる液晶パネルである。なお、液晶パネルに代えて、カメラにファインダを設け、このファインダ内に画像を表示してもよい。
【００４６】
アラーム９は、読出手段５が推奨構図データＲ０を読み出したことを検出して警報音を発生し、撮影者に推奨構図となる撮影位置にいることを知らせるものである。なお、警報音に代えて音声を発生するものであってもよい。また、表示手段８にその旨を表示してもよく、振動により撮影者にその旨を知らせるものであってもよい。
【００４７】
記録手段１０は、撮影により取得された画像データＳ０およびこの画像データＳ０に関する付帯情報Ｈを記録媒体１１に記録する。ここで、付帯情報ＨはＧＰＳ手段３において取得されたＧＰＳ情報Ｇを含み、さらに表示手段８に表示された画像を観察して不図示の入力手段を用いてユーザが挿入したコメント、画像データＳ０のファイル番号を含むものである。なお、付帯情報Ｈは画像データＳ０のヘッダ部分に記憶してもよく、例えばＦｌａｓｈＰｉｘ形式のファイルのように、同一ファイルに画像データＳ０と付帯情報Ｈとを記憶してもよく、さらに、画像データＳ０と付帯情報Ｈとを互いに対応付けてそれぞれ別個のファイルに記憶してもよい。
【００４８】
次いで、図２に示すカメラによる画像の撮影の動作について説明する。図７は図２に示すカメラの動作を示すフローチャートである。なお、本実施形態においては、撮影者がカメラを携帯している状態にあり、初期状態として撮像手段１はオフとされ、ＧＰＳ手段３のみがオンとされているものとする。
【００４９】
ＧＰＳ手段３においてはＧＰＳ衛星からの測位用電波に基づいてＧＰＳ情報Ｇが取得される（ステップＳ１）。読出手段５はＧＰＳ情報Ｇに含まれる位置情報に基づいて、推奨構図記憶手段４に記憶されている推奨構図データＲ０を検索する（ステップＳ２）。そして、ＧＰＳ情報Ｇの位置情報と対応付けられた推奨構図データＲ０が推奨構図記憶手段４に記憶されているか否かが判断され（ステップＳ３）、ステップＳ３が否定されるとステップＳ１に戻り、ステップＳ１からステップＳ３の処理を繰り返す。ステップＳ３が肯定されると、推奨構図記憶手段４から推奨構図データＲ０が読み出され（ステップＳ４）、フレームメモリ６に一旦記憶された後重畳手段７に入力される。推奨構図記憶手段４から推奨構図データＲ０が読み出されると、アラーム９により警報音が発せられる（ステップＳ５）。なお、本実施形態においては図４に示す推奨構図画像を表す推奨構図データＲ０が読み出されたものとする。撮影者はこの警報音を聞くと撮像手段１をオンとし（ステップＳ６）、撮像手段１がオンとされると警報がオフとされる（ステップＳ７）。
【００５０】
撮像手段１がオンとされると、撮像手段１において撮像される画像を表す画像データＳ０がフレームメモリ２に一時的に記憶されつつ、リアルタイムで表示手段８に表示されるように重畳手段７に入力される。重畳手段７においては、推奨構図画像Ｒ０と画像データＳ０により表される画像Ｓ０とが重畳されて（ステップＳ８）、例えば図６に示す重畳画像Ｃ０が表示手段８に表示される（ステップＳ９）。
【００５１】
撮影者は表示手段８に表示される重畳画像Ｃ０を観察しながら、カメラを向ける方向やズーム機能を調節して、推奨構図画像Ｒ０と画像Ｓ０とを一致させる。そして、推奨構図画像Ｒ０と画像Ｓ０とを一致させて、シャッタを駆動すると（ステップＳ１０）、撮影が行われて画像データＳ０が記録手段１０において付帯情報Ｈとともに記録媒体１１に記憶され（ステップＳ１１）、処理を終了する。なお、シャッタが駆動されるまでは、撮像手段１において取得される画像Ｓ０と推奨構図画像Ｒ０との重畳および表示が繰り返し行われる。また、必要があれば表示手段８に画像Ｓ０を表示して、不図示の入力手段により画像Ｓ０に対するコメントやアルバム作成に使用するか否かを示す情報を入力することにより、これらが付帯情報Ｈに含まれることとなる。
【００５２】
そして、全ての推奨構図についての撮影を行い、各推奨構図に対応する画像データＳ０をその付帯情報Ｈと対応させて記録媒体１１に記録する。なお、推奨構図記憶手段４に記憶されたテンプレート情報は、推奨構図記憶手段４から読み出されて記録媒体１１に記録される。また、テンプレート情報が推奨構図記憶手段４に記憶されていない場合には、不図示の入力手段から入力されたテンプレート情報が記録媒体１１に記録される。なお、テンプレート情報を記録媒体１１とは別個の記録媒体に記録してもよい。ここで本実施形態においては、各推奨構図画像Ｒ０に対応する画像Ｓ０を１枚のみ撮影し、推奨構図画像データＲ０に対応する数の画像データＳ０が記録媒体１１に記録されたものとする。
【００５３】
図１に戻り、アルバム作成手段１２のデータ読出手段２１は、図２に示すカメラにおいて画像データＳ０および付帯情報Ｈが記録された記録媒体１１から画像データＳ０および付帯情報Ｈを読み出して合成手段２３に入力する。また、記録媒体１１にテンプレート情報が記録されている場合にはこのテンプレート情報をも読み出して合成手段２３に入力する。なお、テンプレート情報が記録媒体１１とは別個の記録媒体に記録されている場合には、この別個の記録媒体からテンプレート情報を読み出す。さらに、記録媒体１１あるいはこれとは別個の記録媒体にテンプレート情報が記憶されていない場合には、予めユーザにより通知されたテンプレート情報がオペレータにより入力手段１５から入力される。
【００５４】
合成手段２３は、テンプレート情報に対応するテンプレートを表すテンプレートデータＴをテンプレート記憶手段２２から読み出す。図８はテンプレートの例を示す図である。図８に示すようにこのテンプレートＴは、テンプレートＴ１，Ｔ２がペアとなっているものであり、２つのテンプレートＴ１，Ｔ２によりヨーロッパ旅行のアルバムを作成可能なものとなっている。テンプレートＴ１は４つの画像挿入領域Ａ１〜Ａ４、解説文を挿入する領域Ａ５およびクリップアートを挿入する領域Ａ６を有する。テンプレートＴ２は、５つの画像挿入領域Ａ７〜Ａ１１、解説文を挿入する領域Ａ５およびクリップアートを挿入する領域Ａ１３を有する。また、画像挿入領域の下方には図中斜線で示すように付帯情報Ｈを挿入する領域を有する。
【００５５】
テンプレートＴ１，Ｔ２において画像挿入領域Ａ１〜Ａ４、Ａ７〜Ａ１１は付帯情報Ｈと対応付けられている。例えば、本実施形態においては記録媒体１１に記録された画像データＳ０はヨーロッパ旅行におけるあるツアーコースに対応しており、その撮影順序もツアー中に訪問する場所によって決定されることから、画像データＳ０に付与される付帯情報Ｈの撮影日時に関する情報に基づいて、画像データＳ０を並べれば、その順序はツアーにおいて訪れた場所の順序に対応することとなる。したがって、画像挿入領域Ａ１〜Ａ４、Ａ７〜Ａ１１に対して時系列順に画像を挿入するようにテンプレートＴを設定しておけば、合成手段２３に入力された画像データＳ０をその付帯情報Ｈを参照して時系列順に並べて画像挿入領域Ａ１〜Ａ４、Ａ７〜Ａ１１に挿入することにより、ユーザは画像の配置を何ら考慮することなく、テンプレートＴ１，Ｔ２にはユーザが撮影した画像Ｓ０が挿入されることとなる。
【００５６】
なお、付帯情報ＨにはＧＰＳ情報Ｇに基づく撮影位置の経度および緯度を表す位置情報が含まれている。したがって、画像挿入領域Ａ１〜Ａ４、Ａ７〜Ａ１１と位置情報とを対応付けておき、対応する位置情報が付与された画像Ｓ０を画像挿入領域Ａ１〜Ａ４、Ａ７〜Ａ１１に挿入するようにしてもよい。
【００５７】
ここで、付帯情報Ｈには、撮影場所、撮影日時の情報の他、ユーザのコメントなどが含まれるが、この付帯情報Ｈを各画像挿入領域Ａ１〜Ａ４、Ａ７〜Ａ１１の下方にある斜線領域に挿入する。一方、領域Ａ５，Ａ１２には挿入する画像に応じて予め作成された解説文を挿入し、領域Ａ６，Ａ１３にはクリップアートを挿入する。なお、解説文およびクリップアートは、予め定められたものであってもよく、複数のサンプルからユーザが選択したものであっても、ユーザが作成したものであってもよい。
【００５８】
このように、テンプレートＴに画像、解説文およびクリップアートを挿入することにより、合成画像データＭが生成される。
【００５９】
なお、テンプレートＴ２の画像挿入領域Ａ１０は他の画像挿入領域よりも大きいため、ここにはアルバムのポイントとなる画像を挿入したい場合がある。そのような場合には、カメラにおいてユーザが所望とする画像Ｓ０を表示手段８に表示し、その画像についてはテンプレートＴ２の画像挿入領域Ａ１０に挿入すべき旨の情報を入力してその情報を付帯情報Ｈに含ませることにより、合成手段２３においてその情報が付帯情報Ｈに含まれる画像Ｓ０をテンプレートＴ２に挿入できる。この場合、他の画像挿入領域については、画像挿入領域Ａ１０を除いて、時系列順に画像を挿入すればよい。
【００６０】
次いで、本実施形態の動作について説明する。図９は本実施形態の動作を示すフローチャートである。まず、データ読出手段２１において記録媒体１１から画像データＳ０および付帯情報Ｈを読み出す（ステップＳ２１）。読み出された画像データＳ０および付帯情報Ｈは合成手段２３に入力される。合成手段２３においては、記録媒体１１に記録された、あるいは入力手段１５から入力等されたテンプレート情報に基づいて、テンプレート記憶手段２２からテンプレートＴを読み出す（ステップＳ２２）。そして、付帯情報Ｈに基づいてテンプレートＴにおける画像挿入領域に画像データＳ０により表される画像を挿入し（ステップＳ２３）、さらに解説文およびクリップアートを挿入して合成画像データＭを生成する（ステップＳ２４）。生成された合成画像データＭはプリンタ１３に入力され、ここでアルバムプリントとして出力され（ステップＳ２５）、処理を終了する。
【００６１】
このように、本実施形態においては、図２に示すカメラにおいて、テンプレートＴに挿入すべき推奨構図に対応した画像を表す複数の画像データＳ０を取得して、これらを付帯情報Ｈとともに記録媒体１１に記録し、記録媒体１１から画像データＳ０および付帯情報Ｈを読み出して、付帯情報Ｈに基づいてテンプレートＴに画像データＳ０により表される画像Ｓ０を配置するようにしたものである。ここで、テンプレートＴの各画像挿入領域は各画像データＳ０に付与された付帯情報Ｈと対応付けられているため、合成手段２３においては、テンプレートＴの各画像挿入領域に、これと対応する付帯情報Ｈを有する画像Ｓ０が挿入されて合成画像データＭが生成されることとなる。したがって、ユーザは単にテンプレートを選択して、推奨構図に応じた画像を撮影するのみで、何ら画像の配置や画像を選択することなく撮影した画像が配置されたアルバムプリントを得ることができるため、アルバムプリント作成時におけるユーザの負担を軽減することができる。
【００６２】
次いで、本発明の第２の実施形態について説明する。図１０は本発明の第２の実施形態によるアルバム作成装置を適用した画像出力システムの構成を示す概略ブロック図である。なお、第２の実施形態において第１の実施形態と同一の構成については同一の参照番号を付し、詳細な説明は省略する。第２の実施形態においては、推奨構図に対応する画像であって、好条件にて撮影された画像を表す画像データＳＫを保管する記憶手段２４をさらに備えてなる。そして合成手段２３において生成された合成画像データＭをモニタ１４に一旦表示して合成画像の確認を行い、合成画像中に好ましくない画像が含まれる場合には、その画像を好条件にて撮影された画像に入れ替えるようにしたものである。
【００６３】
例えば、ツアーコースにルーブル美術館があり、そこでモナリザの絵が推奨構図画像とされている場合には、モナリザの絵の撮影を行うべきであるが、モナリザの絵は美術館内にあるためフラッシュの使用が禁止されている。したがって、撮影を行ったとしても暗い画像しか得られないおそれがある。したがって、記憶手段２４は予め明るいレンズおよび高感度フイルムを用いて撮影を行うことにより得られたモナリザの絵を表す画像データＳＫを記憶しておき、合成画像をモニタ１４により確認した際に、モナリザの絵の画像が良好でない場合には、その画像を画像データＳＫにより表される画像に差し替える。
【００６４】
一方、ツアーにおいてモンブラン観光を行った場合、モンブランの美しさに感動した後に撮影を行うが、山の天気は変わりやすく、撮影を行おうとした場合にはモンブランが雲に隠れてしまう場合がある。また、せっかくモンブランに行ったのに天候が悪く、よい画像が撮影できない場合がある。このため、略同じ季節の好天の日の略同時刻に撮影を行うことにより得られたモンブランの画像を表す画像データＳＫを記憶手段２４に記憶しておき、合成画像をモニタ１４により確認した際に、モンブランの画像が良好でない場合には、その画像を画像データＳＫにより表される画像に差し替える。
【００６５】
このように、合成画像における不良な画像を好条件下において得られた画像と差し替えることにより、印象のよいアルバムプリントを得ることができる。
【００６６】
なお、上記実施形態においては、カメラのアラーム９により撮影者が推奨構図の撮影場所にいることを知らせるようにしているが、推奨構図の画像を撮影し忘れてしまう場合がある。ここで、アルバムの作成時にテンプレートＴの画像挿入領域に時系列順に画像を挿入する場合、画像を１枚撮影し忘れるとテンプレートＴの最後の画像挿入領域（例えばテンプレートＴ２の画像挿入領域Ａ１１）が空欄となる。この場合、空欄をそのままにしておいてもよいが、空欄に予め用意された好ましい画像を挿入することが好ましい。
【００６７】
また、位置情報に基づいてテンプレートＴの画像挿入領域に画像を挿入する場合、例えばテンプレートＴ２の画像挿入領域Ａ７に挿入すべき画像を撮影し忘れると、画像挿入領域Ａ７が空欄となる。この場合、空欄をそのままにしておいてもよいが、画像挿入領域Ａ７以降の画像挿入領域Ａ８〜Ａ１１に挿入される画像を、１枚ずつずらして最後の画像挿入領域Ａ１１が空欄となるようにしてもよい。また、第２の実施形態と同様に、空欄となった画像挿入領域Ａ７に好条件にて撮影された画像を挿入するようにしてもよい。
【００６８】
また、上記実施形態においては、例えば推奨構図画像Ｒ０が美術館のような建物の中のものである場合、カメラのＧＰＳ手段３がＧＰＳ衛星からの測位用電波を検出できなくなる場合がある。この場合、表示手段８には推奨構図画像Ｒ０を表示することができない。このため、ＧＰＳ手段３がＧＰＳ衛星からの測位用電波を検出しなくなったときに、表示手段８に図１１に示すような推奨構図画像Ｒ０の選択メニューを表示するようにしてもよい。例えば、撮影者がルーブル美術館に入った場合、ＧＰＳ手段３により撮影者がルーブル美術館に入ったことが分かるため、図１１に示すように、表示手段８にルーブル美術館用の推奨構図画像Ｒ０の選択モードを表示する。ここで、ルーブル美術館には「リシュリュー」、「デュノン」および「シュリー」の３つの建物があるため、その各々についてプルダウンメニューを表示する。そして、例えば「デュノン」を選択し、さらに「２階」を選択すると「デュノン」の「２階」にある「モナリザ」、「サモトラケ島の女神」「１６世紀のイタリア絵画」等のメニューが表示される。そして、撮影者は例えば「モナリザ」を選択すると、表示手段８にモナリザの絵の推奨構図画像が表示される。よって、撮影者はＧＰＳ手段３が測位用電波を検出できない場所であっても、推奨構図の画像の撮影を行うことができる。
【００６９】
さらに、上記実施形態においては、カメラにおいてテンプレートＴの画像挿入領域に対応する数の画像データＳ０のみを記録媒体１１に記録しているが、１つの推奨構図について複数の画像を撮影する場合がある。また、推奨構図のみならず任意の構図により撮影した画像が含まれる場合もある。このような場合には、カメラの表示手段８に各画像を表示してユーザが所望とする画像を選択し、その画像を表す画像データＳ０に対応する付帯情報Ｈに、その画像をアルバム作成に使用する旨の情報を付与すればよい。これにより、合成手段２３においては、付帯情報Ｈにその旨を表す情報が含まれる画像データＳ０のみを用いて合成画像データＭを作成することができる。
【００７０】
さらにまた、上記実施形態においては、撮影日時の情報に基づいて時系列順にテンプレートＴの画像挿入領域に画像を挿入しているが、この順序を任意に変更することも可能である。具体的には、カメラにおいて表示手段８に画像を表示し、その画像の挿入順序を表す情報を付帯情報Ｈに含ませ、合成手段２３においては挿入順序を表す情報に基づいて、テンプレートＴの画像挿入領域に画像を挿入すればよい。
【００７１】
また、上記実施形態においては、テンプレート記憶手段２２に複数のテンプレートデータＴを記憶しておき、テンプレート情報に基づいてこれに対応するテンプレートデータＴを読み出しているが、記録媒体１１にテンプレートＴを記憶しておき、データ読出手段２１において画像データＳ０および付帯情報Ｈに加えてテンプレートデータＴを読み出すようにしてもよい。また、記録媒体１１とは別個の記録媒体にテンプレートデータＴを記憶しておいて、データ読出手段２１において読み出すようにしてもよい。この場合、テンプレートデータＴは予めユーザのパソコンなどに記憶されたものであってもよく、ラボからネットワークを介してあるいは記録媒体に記録してユーザに提供されたものであってもよい。さらに、推奨構図記憶手段４に記憶してユーザに提供されたものであってもよい。
【００７２】
さらに、上記実施形態においては、テンプレート情報としてテンプレートの番号を用いているが、テンプレートデータＴのファイル名であってもよい。
【００７３】
また、上記実施形態においては、図２に示すようにＧＰＳ情報Ｇに基づいて推奨構図となるように撮影を行うカメラにおいて取得された画像データＳ０を用いてアルバムプリントを作成しているが、アルバム作成に使用する画像データはこのようなカメラにより得られたものに限定されない。例えば、デジタルカメラにおいて取得される画像データには、撮影日時に関する情報が付与されるため、これを付帯情報Ｈとして上記実施形態と同様にしてテンプレートＴに画像を挿入できる。なお、この場合は、テンプレートＴに挿入する画像データに対して、アルバム作成に使用する画像である旨を表す情報を付与しておくことにより、合成手段２３においては付帯情報Ｈを読み出してその情報が付与されている画像データＳ０を用いて合成画像データＭを生成することができる。
【００７４】
さらに、上記実施形態においては、予めテンプレートＴが選択されており、このテンプレートＴのレイアウトに沿って撮影を行うようにしているが、推奨構図データＲ０に基づく撮影を行った後に、テンプレートＴを選択してアルバムを作成するようにしてもよい。以下、これを第３の実施形態として説明する。
【００７５】
図１２は本発明の第３の実施形態によるアルバム作成装置を適用した画像出力システムの構成を示す概略ブロック図である。なお、第３の実施形態において第１の実施形態と同一の構成については同一の参照番号を付し、詳細な説明は省略する。第３の実施形態においては、データ読出手段２１において読み出された付帯情報Ｈに基づいて、テンプレート記憶手段２２に記憶された複数のテンプレートから合成画像データＭの作成に使用するテンプレートＴを選択するテンプレート選択手段２５と、選択されたテンプレートＴを一時的に記憶するテンプレート一時記憶手段２６とをさらに備えてなる。そして、付帯情報Ｈに基づいてテンプレートＴを選択して、選択されたテンプレートＴに基づいて合成画像データＭを作成するようにしたものである。
【００７６】
なお、第３の実施形態においては、撮影が推奨される日時、天候、推奨される撮像条件等が付帯情報Ｈとして対応付けられた推奨構図データＲ０をデジタルカメラの推奨構図記憶手段４に記憶しておき、ＧＰＳ情報Ｇに含まれる位置情報のみならず、日時情報、撮影時の天候情報等に基づいて、撮影位置、日時および／または天候に応じた推奨構図データＲ０が読み出されて撮影が行われて画像データＳ０が取得されるものとする。この際、付帯情報Ｈには、撮影に使用した推奨構図データＲ０を特定する推奨構図ＩＤ、ＧＰＳ情報Ｇ、撮影時の天候情報、撮影条件等が含まれる。また、複数のテンプレートは、画像挿入領域に挿入すべき推奨構図画像を特定する推奨構図ＩＤが付帯情報Ｈ０として対応付けられてテンプレート記憶手段２２に記憶されている。なお、付帯情報Ｈ０は、テンプレートのタグ情報に付与すればよい。
【００７７】
ここで、推奨構図ＩＤは、その推奨構図データを用いての撮影が推奨される地点および地点毎の推奨構図データの番号を表すものであり、例えば地点ｘとしてａ，ｂ，ｃ…、番号としてｉ＝１，２，３…を用いた場合、使用された推奨構図データの推奨構図ＩＤはＦｘｉと表すことができる。また、テンプレートＴの識別子をＩ，ＩＩ，ＩＩＩ…とし、各テンプレートＴの画像挿入領域を（１）、（２）、（３）…とすると、図１３のテーブルに示すように、各テンプレートＴは画像挿入領域とその画像挿入領域に挿入すべき画像の推奨構図ＩＤとが対応付けられてテンプレート記憶手段２２に記憶されている。
【００７８】
例えば、テンプレートＩには、図１３に示すテーブルのテンプレートＩの行に対応した情報が付帯情報Ｈ０として付与されている。より具体的には、図１４に示すように、テンプレートＩのタグ情報に付帯情報Ｈ０が記述されている。この付帯情報Ｈ０によれば、テンプレートＩは２つの画像挿入領域（１）、（２）を有し、画像挿入領域（１）は地点ａの構図番号１の推奨構図ＩＤ（Ｆａ１）または地点ｃの構図番号１の推奨構図ＩＤ（Ｆｃ１）と対応付けられ、画像挿入領域（２）は地点ｂの構図番号１の推奨構図ＩＤ（Ｆｂ１）または地点ｄの構図番号１の推奨構図ＩＤ（Ｆｄ１）と対応付けられている。なお、推奨季節および推奨天候は全てのもの（ａｌｌ）に対応している。
【００７９】
一方、テンプレートＶＩには、図１５に示すように付帯情報Ｈ０が記述されている。この付帯情報Ｈ０によれば、テンプレートＶＩは１つの画像挿入領域（１）を有し、この画像挿入領域（１）は、撮影の季節が冬であり（すなわちｓ＝ｗ（season=winter））、天候が雨または晴れである場合（すなわちｗ＝ｒ or ｓ（weather=rain or sunny）の地点ｆの構図番号１の推奨構図ＩＤ（Ｆｆ１）、または撮影の季節が冬であり（すなわちｓ＝ｗ（season=winter））、天候が雨または晴れである場合（すなわちｗ＝ｓ（weather=sunny）の地点ａの構図番号３の推奨構図ＩＤ（Ｆａ３）と対応付けられている。
【００８０】
ここで、第３の実施形態において、撮影者がａ，ｂ，ｃ，ｄ，ｅ，ｆの各地点で推奨構図番号がそれぞれ１番の推奨構図を用いて撮影を行って６つの画像データＳ０を記録媒体１１に記録したとする。この場合、各画像データＳ０にはＦａ１，Ｆｂ１，Ｆｃ１，Ｆｄ１，Ｆｅ１，Ｆｆ１の推奨構図ＩＤが付帯情報Ｈとして付与される。データ読出手段２１においては６つの画像データＳ０とこれらに付与された付帯情報Ｈが読み出され、付帯情報Ｈがテンプレート選択手段２５に入力される。テンプレート選択手段２５においては付帯情報Ｈに基づいて、２種類のテンプレートＩおよびテンプレートＩＩＩがテンプレート記憶手段２２から読み出され、テンプレート一時記憶手段２６に記憶される。なお、合成時にはテンプレートＩが２つ用いられる。合成手段２３においては２つのテンプレートＩおよび１つのテンプレートＩＩＩと６つの画像データＳ０とに基づいて、３頁構成のアルバムを表す合成画像データＭが作成される。
【００８１】
この場合、テンプレートＩの画像挿入領域（１）、（２）にａ，ｂ地点の推奨構図番号が１番の画像が、もう一つのテンプレートＩの画像挿入領域（１）、（２）にｃ，ｄ地点の推奨構図番号が１番の画像が、テンプレートＩＩＩの画像挿入領域（１）、（２）にｅ，ｆ地点の推奨構図番号が１番の画像がそれぞれ挿入される。
【００８２】
一方、撮影者がａ，ｂ地点で推奨構図番号がそれぞれ１番の、ｄ地点で推奨構図番号が１，２，３番の、ｇ地点で推奨構図番号が１，２番の推奨構図を用いて撮影を行って７つの画像データＳ０を記録媒体１１に記録したとする。この場合、テンプレート選択手段２５においては、３つのテンプレートＩ，ＩＩ，ＩＩＩがテンプレート記憶手段２２から読み出され、テンプレート一時記憶手段２６に記憶される。合成手段２３においては３つのテンプレートＩ，ＩＩ，ＩＩＩと７つの画像データＳ０に基づいて、３頁構成のアルバムを表す合成画像データＭが作成される。
【００８３】
この場合、テンプレートＩの画像挿入領域（１）、（２）にａ，ｂ地点の推奨構図番号が１番の画像が、テンプレートＩＩの画像挿入領域（１）、（２）、（３）にｄ地点の推奨構図番号が２番、１番、３番の画像が、テンプレートＩＩＩの画像挿入領域（１）、（２）にｇ地点の推奨構図番号が２番、１番の画像がそれぞれ挿入される。
【００８４】
なお、テンプレートＴの選択は単純に推奨構図ＩＤに基づいて行ってもよいが、組み合わせて使用することがレイアウト上好ましくないテンプレートＴの組み合わせが存在する。この場合、好ましくない（あるいは好ましい）テンプレートＴの組み合わせをテンプレート選択手段２５に設けたメモリ（不図示）に記憶しておき、好ましくない組み合わせのテンプレートＴは選択しないようにすることが好ましい。
【００８５】
なお、上記各実施形態においては、ＧＰＳ情報Ｇに基づいて推奨構図となるように撮影を行っているが、ＧＰＳ情報Ｇに代えてＰＨＳ受信エリアから判定されたグローバル位置情報に基づいて推奨構図となるように撮影を行ってもよい。
【００８６】
また、上記各実施形態においては画像データＳ０および付帯情報Ｈを記録媒体１１に記録してアルバムプリントの作成に供しているが、ユーザのパソコンに画像データＳ０および付帯情報Ｈを記憶しておき、データ読出手段２１とユーザのパソコンとをネットワークを介して接続し、ユーザのパソコンから画像データＳ０および付帯情報Ｈをネットワークを介して読み出すようにしてもよい。
【図面の簡単な説明】
【図１】本発明の第１の実施形態によるアルバム作成装置を適用した画像出力システムの構成を示す概略ブロック図
【図２】本発明の実施形態によるカメラの構成を示す概略ブロック図
【図３】ユーザのパソコンに表示されたテンプレートのサムネイル画像を示す図
【図４】推奨構図画像の例を示す図
【図５】撮像される画像の例を示す図
【図６】重畳画像の例を示す図
【図７】カメラの動作を示すフローチャート
【図８】テンプレートの例を示す図
【図９】本実施形態の動作を示すフローチャート
【図１０】本発明の第２の実施形態によるアルバム作成装置を適用した画像出力システムの構成を示す概略ブロック図
【図１１】推奨構図の選択メニューを示す図
【図１２】本発明の第３の実施形態によるアルバム作成装置を適用した画像出力システムの構成を示す概略ブロック図
【図１３】テンプレートの画像挿入領域に挿入される推奨構図ＩＤを示すテーブル
【図１４】テンプレートの付帯情報の記述の例を示す図
【図１５】テンプレートの付帯情報の記述の例を示す図
【符号の説明】
１    撮像手段
２，６    フレームメモリ
３    ＧＰＳ手段
４    推奨構図記憶手段
５    読出手段
７    重畳手段
８    表示手段
９    アラーム
１０  記録手段
１１  記録媒体
１２  アルバム作成手段
１３  プリンタ
１４  モニタ
１５  入力手段
２１  読出手段
２２  テンプレート記憶手段
２３  合成手段
２４  記憶手段
２５  テンプレート選択手段
２６  テンプレート一時記憶手段
【図１】
0004208113.tif 000002
【図２】
0004208113.tif 000003
【図３】
0004208113.tif 000004
【図４】
0004208113.tif 000005
【図５】
0004208113.tif 000006
【図６】
0004208113.tif 000007
【図７】
0004208113.tif 000008
【図８】
0004208113.tif 000009
【図９】
0004208113.tif 000010
【図１０】
0004208113.tif 000011
【図１１】
0004208113.tif 000012
【図１２】
0004208113.tif 000013
【図１３】
0004208113.tif 000014
【図１４】
0004208113.tif 000015
【図１５】
0004208113.tif 000016